(57)【要約】【課題】原稿台に載置された原稿がカード型原稿であるかどうかをプレスキャン無しで判定することが可能な画像読取装置を提供すること。【解決手段】画像形成装置１は、原稿台２１と、画像読取部１３と、検出処理部１７１と、判定処理部１７２とを備える。原稿台２１には原稿が載置される。画像読取部１３は、原稿台２１に載置された原稿の主走査方向に沿った線状領域の画像を示す線状画像データを読み取る。検出処理部１７１は、前記線状画像データに基づいて前記原稿の主走査方向のサイズを検出する。判定処理部１７２は、検出処理部１７１により検出される前記原稿の主走査方向のサイズが特定条件を満たす場合に、前記原稿が予め定められたカード型原稿Ｃａであると判定する。【選択図】図５
2019193034.tif 000002
【特許請求の範囲】
【請求項１】
原稿が載置される原稿台と、
前記原稿台に載置された原稿の主走査方向に沿った線状領域の画像を示す線状画像データを読み取る画像読取部と、
前記線状画像データに基づいて前記原稿の主走査方向のサイズを検出する検出処理部と、
前記検出処理部により検出される前記原稿の主走査方向のサイズが特定条件を満たす場合に、前記原稿が予め定められたカード型原稿であると判定する判定処理部と、
を備える、画像読取装置。
【請求項２】
前記特定条件は、前記検出処理部により検出される前記原稿の主走査方向のサイズが、前記カード型原稿の長手方向の基準サイズを含む第１判定領域又は前記カード型原稿の短手方向の基準サイズを含む第２判定領域に含まれることである、
請求項１に記載の画像読取装置。
【請求項３】
前記原稿台において前記カード型原稿が載置される領域から離れた検知位置における原稿の有無を検知する原稿センサーを更に備え、
前記判定処理部は、前記検出処理部により検出される前記原稿の主走査方向のサイズが前記特定条件を満たし、且つ前記原稿センサーにより前記検知位置に原稿が無いことが検知された場合に、前記原稿が前記カード型原稿であると判定する、
請求項１又は請求項２に記載の画像読取装置。
【請求項４】
前記画像読取部は、前記原稿の副走査方向に沿って順次に読み取られる複数の前記線状画像データに基づいて前記原稿の画像を示す原稿画像データを生成し、
前記画像読取装置は、前記原稿画像データにおける前記原稿の端部から予め定められた消去幅の領域の画像を消去する消去処理部を更に備え、
前記消去処理部は、前記判定処理部により前記原稿が前記カード型原稿であると判定された場合と、前記判定処理部により前記原稿が前記カード型原稿ではないと判定された場合とで、前記消去幅を異ならせる、
請求項１〜３のいずれかに記載の画像読取装置。
【請求項５】
前記判定処理部は、前記検出処理部により検出される前記原稿の主走査方向のサイズに基づいて、前記原稿が、前記カード型原稿及び予め定められた複数の定型サイズ原稿のいずれであるかを判定可能であり、
前記カード型原稿のサイズは、いずれの前記定型サイズ原稿よりも小さいサイズであり、
前記消去処理部は、前記判定処理部により前記原稿が前記カード型原稿であると判定された場合に、前記判定処理部により前記原稿が前記定型サイズ原稿であると判定された場合よりも前記消去幅を狭くする、
請求項４に記載の画像読取装置。
【請求項６】
前記読取処理部は、前記原稿の副走査方向に沿って順次に読み取られる複数の前記線状画像データに基づいて前記原稿の画像を示す原稿画像データを生成し、
前記画像読取装置は、
前記原稿画像データに基づいてシートに画像を形成する画像形成部と、
前記画像形成部の動作条件を設定する設定処理部とを更に備え、
前記設定処理部は、前記判定処理部により前記原稿が前記カード型原稿であると判定された場合に、前記画像形成部の動作条件を特定の動作条件に設定する、
請求項１〜４のいずれかに記載の画像読取装置。
【請求項７】
前記特定の動作条件は、前記原稿の両面の画像を１枚のシートの片面に形成することを含む、
請求項６に記載の画像読取装置。
【発明の詳細な説明】
【技術分野】
【０００１】
本発明は、原稿台に載置された原稿の画像を読み取る画像読取装置に関する。
【背景技術】
【０００２】
原稿台の所定領域の画像をエリアセンサによって撮像し、前記所定領域内に設定される複数の検知位置における原稿の有無の組み合わせに基づいて、前記原稿台に載置されている原稿のサイズを検出する原稿読取装置が知られている（例えば、特許文献１参照）。
【先行技術文献】
【特許文献】
【０００３】
【特許文献１】特開２００６−６７３３０号公報
【発明の概要】
【発明が解決しようとする課題】
【０００４】
前記原稿読取装置では、前記複数の検知位置における原稿の有無の組み合わせに基づいて、原稿のサイズが、予め定められた複数の定型サイズ（例えば、Ａ３、Ａ４、Ａ４Ｒ、Ａ５、ＡＡ５Ｒ、Ａ６、Ｂ４、Ｂ５、Ｂ５Ｒ、Ｂ６など）のいずれであるかが判定される。これにより、前記原稿読取装置では、プレスキャン無しで原稿のサイズを検知することが可能である。しかしながら、原稿が運転免許証のようなカード型原稿である場合は、いずれの前記検知位置でも原稿が検知されず、原稿のサイズが不定サイズであると判定されてしまう。
【０００５】
本発明の目的は、原稿台に載置された原稿がカード型原稿であるかどうかをプレスキャン無しで判定することが可能な画像読取装置を提供することにある。
【課題を解決するための手段】
【０００６】
本発明に係る画像読取装置は、原稿台と、画像読取部と、検出処理部と、判定処理部とを備える。前記原稿台には原稿が載置される。前記画像読取部は、前記原稿台に載置された原稿の主走査方向に沿った線状領域の画像を示す線状画像データを読み取る。前記検出処理部は、前記線状画像データに基づいて前記原稿の主走査方向のサイズを検出する。前記判定処理部は、前記検出処理部により検出される前記原稿の主走査方向のサイズが特定条件を満たす場合に、前記原稿が予め定められたカード型原稿であると判定する。
【発明の効果】
【０００７】
本発明によれば、原稿台に載置された原稿がカード型原稿であるかどうかをプレスキャン無しで判定することが可能な画像形成装置が提供される。
【図面の簡単な説明】
【０００８】
【図１】図１は、本発明の実施形態に係る画像形成装置の構成を示すブロック図である。
【図２】図２は、本発明の実施形態に係る画像形成装置のＡＤＦ及び画像読取部の構成を示す模式図である。
【図３】図３は、本発明の実施形態に係る画像形成装置の原稿台における各種の定型サイズ原稿の載置位置及び原稿センサーの検知位置を示す図である。
【図４】図４は、本発明の実施形態に係る画像形成装置で用いられる原稿判定テーブルの一例を示す図である。
【図５】図５は、本発明の実施形態に係る画像形成装置で実行されるコピー処理の手順の一例を示すフローチャートである。
【図６】図６は、本発明の実施形態に係る画像形成装置で実行される消去処理により原稿画像データにおいて画像が消去される領域の一例を示す図である。
【図７】図７は、本発明の実施形態に係る画像形成装置によりカード型原稿の画像が形成されたシートの一例を示す図である。
【発明を実施するための形態】
【０００９】
以下添付図面を参照しながら、本発明の実施形態について説明し、本発明の理解に供する。なお、以下の実施形態は、本発明を具体化した一例であって、本発明の技術的範囲を限定するものではない。
【００１０】
［画像形成装置の構成］
図１に示されるように、本発明の実施形態に係る画像形成装置１は、操作表示部１１、ＡＤＦ１２、画像読取部１３、画像形成部１４、通信Ｉ／Ｆ１５、記憶部１６、及び制御部１７などを備える。具体的に、画像形成装置１は、プリンター機能、スキャナー機能、コピー機能、及びファクシミリ機能などを有する複合機である。画像形成装置１は、本発明の画像読取装置の一例である。なお、本発明は、複合機に限らず、複写機、スキャナー装置、ファクシミリ装置のように、画像読取機能を有する任意の画像読取装置に適用可能である。
【００１１】
操作表示部１１は、情報を表示する液晶ディスプレーなどの表示部と、ユーザー操作を受け付けるタッチパネル及び操作ボタンなどの操作部とを備える。
【００１２】
ＡＤＦ１２は、原稿セット部、搬送ローラー、原稿押さえ、及び排紙部を備え、画像読取部１３の読み取り対象となる原稿を搬送する自動原稿搬送装置である。
【００１３】
図２に示されるように、画像読取部１３は、筐体２０、原稿台２１、第１キャリッジ２２、第２キャリッジ２３、キャリッジ支持部２４、及びイメージセンサー２５を備える。画像読取部１３は、原稿台２１に載置された原稿或いはＡＤＦ１２により搬送された原稿の画像を読み取って、当該原稿の画像を示す原稿画像データを生成する。
【００１４】
第１キャリッジ２２には光源２６及びミラー２７が設けられており、第２キャリッジ２３には２つのミラー２７が設けられている。光源２６は、原稿台２１の下方から光を出射し、原稿台２１における主走査方向（図２において紙面に直交する方向）に沿って延びる線状の領域を照明する。複数のミラー２７は、原稿からの反射光をイメージセンサー２５へと導く。イメージセンサー２５は、例えばＣＣＤ（Ｃｈａｒｇｅ  Ｃｏｕｐｌｅｄ  Ｄｅｖｉｃｅ）である。イメージセンサー２５は、原稿からの反射光の光量に応じた画像データを出力する。このようにして、画像読取部１３は、原稿台２１に載置された原稿の主走査方向に沿った線状領域の画像を示す線状画像データを読み取ることができる。なお、イメージセンサー２５が第１キャリッジ２２に設けられていてもよい。
【００１５】
キャリッジ支持部２４は、第１キャリッジ２２及び第２キャリッジ２３を原稿台２１に沿って副走査方向（図２における左右方向）に移動可能に支持する。より具体的には、キャリッジ支持部２４は、不図示のモーター（例えば、ステッピングモーター）からの駆動力により、第１キャリッジ２２及び第２キャリッジ２３を連動して副走査方向に移動させる。その際、キャリッジ支持部２４は、第１キャリッジ２２の移動速度の２分の１の速度で第２キャリッジ２３を移動させる。
【００１６】
第１キャリッジ２２は、画像読取部１３の筐体２０内において、光源２６の光を原稿に照射しつつ、原稿台２１上の原稿を走査する。イメージセンサー２５は、原稿からの反射光の光量に応じた画像データを出力する。このようにして、画像読取部１３は、原稿の副走査方向に沿って順次に読み取られる複数の前記線状画像データに基づいて、原稿の画像を示す原稿画像データを生成することができる。
【００１７】
画像形成部１４は、電子写真方式又はインクジェット方式で画像データに基づく印刷処理を実行することが可能であり、前記原稿画像データに基づいてシートＳｈ上に画像を形成する。例えば、画像形成部１４が電子写真方式の画像形成部である場合、画像形成部１４は感光体ドラム、帯電器、露光装置、現像装置、転写装置、及び定着装置などを備える。
【００１８】
通信Ｉ／Ｆ１５は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１９】
記憶部１６は、ハードディスク又はフラッシュメモリー等の不揮発性の記憶部である。記憶部１６には、制御部１７によって実行される後述するコピー処理などを実行するための各種の制御プログラム、及び後述する原稿判定テーブルＤ１などが記憶される。
【００２０】
制御部１７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２１】
ところで、本実施形態に係る画像形成装置１に関連する関連技術として、原稿台の所定領域の画像をエリアセンサによって撮像し、前記所定領域内に設定される複数の検知位置における原稿の有無の組み合わせに基づいて、前記原稿台に載置されている原稿のサイズを検出する原稿読取装置が知られている。前記原稿読取装置では、前記複数の検知位置における原稿の有無の組み合わせに基づいて、原稿のサイズが、予め定められた複数の定型サイズ（例えば、Ａ３、Ａ４、Ａ４Ｒ、Ａ５、ＡＡ５Ｒ、Ａ６、Ｂ４、Ｂ５、Ｂ５Ｒ、Ｂ６など）のいずれであるかが判定される。これにより、前記原稿読取装置では、プレスキャン無しで原稿のサイズを検知することが可能である。しかしながら、原稿が運転免許証のようなカード型原稿である場合は、いずれの前記検知位置でも原稿が検知されず、原稿のサイズが不定サイズであると判定されてしまう。これに対して、本実施形態に係る画像形成装置１によれば、原稿台２１に載置された原稿がカード型原稿であるかどうかをプレスキャン無しで判定することが可能である。
【００２２】
具体的に、制御部１７は、検出処理部１７１、判定処理部１７２、消去処理部１７３、及び設定処理部１７４を含む。なお、制御部１７は、前記制御プログラムに従って各種の処理を実行することによりこれらの各処理部として機能する。また、制御部１７は、これらの各処理部の一部又は複数の処理機能を実現するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のような電子回路を備えるものであってもよい。
【００２３】
検出処理部１７１は、画像読取部１３により読み取られる前記線状画像データに基づいて、原稿台２１に載置されている原稿の主走査方向のサイズを検出する。前記線状画像データは、例えば、第１キャリッジ２２が予め定められた原稿判定位置（例えば、図３に示されるように、原稿台２１の載置基準位置２１１から副走査方向に数ｃｍだけ離れた位置）に位置している状態で、イメージセンサー２５から出力される１ライン分の画像データである。検出処理部１７１は、例えば、前記線状画像データに含まれる原稿のエッジを検出し、検出されたエッジの位置に基づいて前記原稿の主走査方向のサイズを検出する。
【００２４】
判定処理部１７２は、検出処理部１７１により検出される前記原稿の主走査方向のサイズに基づいて、前記原稿が、予め定められたカード型原稿Ｃａ（図３参照）及び予め定められた複数の定型サイズ原稿のいずれであるかを判定可能である。以下、判定処理部１７２による判定方法について具体的に説明する。
【００２５】
図３に示されるように、原稿台２１には、予め定められた載置基準位置２１１に合わせて各種サイズの原稿が載置される。原稿台２１には、Ａ３サイズ、Ａ４サイズ、Ｂ４サイズ、Ｆｏｌｉｏサイズ、ハガキサイズなどの定型サイズの原稿（以下、定型サイズ原稿と称する）に限らず、任意の形状の原稿を載置することが可能である。
【００２６】
画像読取部１３には、図３に示されるように、原稿センサー２８が設けられている。原稿センサー２８は、原稿台２１の載置基準位置２１１から副走査方向に予め定められた距離（例えば、３１５ｍｍ）だけ離れた検知位置２１２における原稿の有無を検知するセンサーである。原稿センサー２８は、例えば、検知位置２１２の下方に設けられた、発光部及び受光部を備える反射型光センサーである。前記発光部が検知位置２１２に向けて光を照射すると、前記受光部は、検知位置２１２からの反射光を受光し、受光量に応じた電気信号を制御部１７に出力する。前記受光量は、検知位置２１２における原稿の有無に応じて変化する。よって、制御部１７は、原稿センサー２８の出力信号に基づいて検知位置２１２における原稿の有無を判定することができる。
【００２７】
判定処理部１７２は、検出処理部１７１により検出される前記原稿の主走査方向のサイズと、原稿センサー２８による検知結果とに基づいて、前記原稿の種類を判定する。具体的に、判定処理部１７２は、図４に示されるような原稿判定テーブルＤ１に基づいて、前記原稿の種類を判定する。
【００２８】
図４に示される原稿判定テーブルＤ１では、原稿の主走査方向のサイズが１１個の判定領域に区分されている。各判定領域は、対応する原稿（前記定型サイズ原稿又はカード型原稿Ｃａ）の主走査方向のサイズを基準サイズとして、前記基準サイズを含む範囲に設定されている。図３に示されるように、原稿の主走査方向のサイズは原稿の種類によって異なる。よって、判定処理部１７２は、検出処理部１７１により検出される前記原稿の主走査方向のサイズが、どの判定領域に含まれるかを判断することによって、前記原稿の種類をある程度絞り込むことができる。例えば、検出処理部１７１により検出される前記原稿の主走査方向のサイズが２５８．６ｍｍである場合、前記原稿はＢ５サイズ又はＢ４サイズの原稿であると判定することができる。また、判定処理部１７２は、検知位置２１２における原稿の有無に基づいて、前記原稿の種類をさらに絞り込むことができる。例えば、検出処理部１７１により検出される前記原稿の主走査方向のサイズが２５８．６ｍｍであり、検知位置２１２で前記原稿が検知された場合は、前記原稿はＢ４サイズの原稿であると判定することができる。一方、検出処理部１７１により検出される前記原稿の主走査方向のサイズが２５８．６ｍｍであり、検知位置２１２で前記原稿が検知されない場合は、前記原稿はＢ５サイズの原稿であると判定することができる。
【００２９】
図３に示されるように、運転免許証又は健康保険証のようなカード型原稿Ｃａのサイズは、いずれの前記定型サイズ原稿よりも小さいサイズである。判定処理部１７２は、検出処理部１７１により検出される前記原稿の主走査方向のサイズが特定条件を満たす場合に、前記原稿が予め定められたカード型原稿Ｃａ（図３参照）であると判定する。
【００３０】
前記特定条件は、例えば、検出処理部１７１により検出される前記原稿の主走査方向のサイズが、カード型原稿Ｃａの長手方向の基準サイズ（例えば、８５．６ｍｍ）を含む第１判定領域（例えば、図４に示される「６９．８ｍｍ〜８９．９ｍｍ」の判定領域）又はカード型原稿Ｃａの短手方向の基準サイズ（例えば、５３．９８ｍｍ）を含む第２判定領域（例えば、図４に示される「４４．０ｍｍ〜６９．７ｍｍ」の判定領域）に含まれることである。なお、カード型原稿Ｃａに対応する基準サイズ及び判定領域は、例えば、身分証明証カードの形状を定めた国際規格（ＩＳＯ／ＩＥＣ  ７８１０）に基づいて予め設定されてもよいし、ユーザー操作に応じて予め設定されてもよい。また、カード型原稿Ｃａに対応する基準サイズ及び判定領域は、検出したいカード型原稿Ｃａの種類に応じてユーザー操作に応じて随時に変更されてもよい。
【００３１】
なお、原稿センサー２８の検知位置２１２は、原稿台２１においてカード型原稿Ｃａが載置される領域（すなわち、載置基準位置２１１に合わせてカード型原稿Ｃａを縦向き又は横向きに載置したときにカード型原稿Ｃａで覆われる領域）から離れている。よって、検出処理部１７１により検出される前記原稿の主走査方向のサイズが前記特定条件を満たしていても、検知位置２１２で前記原稿が検知された場合は、前記原稿は副走査方向に細長く延びた形状を有する特殊な原稿であると判断することができる。そこで、判定処理部１７２は、検出処理部１７１により検出される前記原稿の主走査方向のサイズが前記特定条件を満たし、且つ原稿センサー２８により検知位置２１２に原稿が無いことが検知された場合に、前記原稿がカード型原稿Ｃａであると判定してもよい。
【００３２】
消去処理部１７３は、前記原稿画像データにおける前記原稿の端部から予め定められた消去幅Ｗ１の領域（図６に示される原稿画像データにおける斜線部分）の画像を消去する画像処理（以下、枠消去処理と称する）を行う。前記枠消去処理は、画像読取部１３により読み取られた前記原稿画像データにおいて、原稿の輪郭近傍に現れてしまう不要な影又は枠線を消去する（例えば、白色に置き換える）処理である。
【００３３】
ところで、カード型原稿Ｃａは前記定型サイズ原稿よりもサイズが小さいため、前記定型サイズ原稿とは異なり、原稿の輪郭近傍まで文字が記載されていることが多い。この場合、前記定型サイズ原稿と同じ消去幅Ｗ１で前記枠消去処理が行われると、不要な影又は枠線に加えて必要な情報（文字）まで消去されてしまうおそれがある。そこで、消去処理部１７３は、判定処理部１７２により前記原稿がカード型原稿Ｃａであると判定された場合と、判定処理部１７２により前記原稿がカード型原稿Ｃａではないと判定された場合とで、消去幅Ｗ１を異ならせてもよい。例えば、消去処理部１７３は、判定処理部１７２により前記原稿がカード型原稿Ｃａであると判定された場合に、判定処理部１７２により前記原稿が前記定型サイズ原稿（例えば、Ａ４サイズの原稿、Ｂ５サイズの原稿、ハガキサイズの原稿など）であると判定された場合よりも消去幅Ｗ１を狭くしてもよい。例えば、消去処理部１７３は、判定処理部１７２により前記原稿が前記定型サイズ原稿であると判定された場合は消去幅Ｗ１を２〜３ｍｍとし、判定処理部１７２により前記原稿がカード型原稿Ｃａであると判定された場合は消去幅Ｗ１を０〜１ｍｍとしてもよい。これにより、前記枠消去処理によって必要な情報（文字）まで消去されてしまうことを抑制することができる。
【００３４】
設定処理部１７４は、画像形成部１４の動作条件を設定する。具体的に、設定処理部１７４は、判定処理部１７２により前記原稿がカード型原稿Ｃａであると判定された場合に、画像形成部１４の動作条件を特定の動作条件に設定する。前記特定の動作条件は、例えば、図７に示されるように、原稿（すなわち、カード型原稿Ｃａ）の表面及び裏面の両面の画像（画像Ｇ１及び画像Ｇ２）を１枚のシートＳｈの片面に形成することである。なお、前記特定の動作条件は、操作表示部１１に対するユーザー操作に応じて予め設定されてもよいし、操作表示部１１に対するユーザー操作に応じて適宜に変更されてもよい。一方、判定処理部１７２により前記原稿が前記定型サイズ原稿であると判定された場合には、設定処理部１７４は、操作表示部１１に対するユーザー操作に応じて画像形成部１４の動作条件を設定する。
【００３５】
［コピー処理］
次に、図５を参照しつつ、制御部１７によって実行されるコピー処理の手順の一例について説明する。ここで、ステップＳ１，Ｓ２，・・・は、制御部１７により実行される処理手順（ステップ）の番号を表している。なお、前記コピー処理は、例えば、画像形成装置１の電源がオンされたことに応じて開始され、その後、画像形成装置１の電源がオフされたことに応じて終了される。
【００３６】
＜ステップＳ１＞
まず、ステップＳ１において、制御部１７は、操作表示部１１に対してコピー開始操作が行われたか否かを判断する。例えば、制御部１７は、操作表示部１１に表示されるメニュー画面（不図示）に含まれる［コピー］ボタンが操作された場合に、前記コピー開始操作が行われたと判断する。そして、前記コピー開始操作が行われたと判断されると（Ｓ１：Ｙｅｓ）、処理がステップＳ２に移行する。一方、前記コピー開始操作が行われていないと判断されると（Ｓ１：Ｎｏ）、前記コピー開始操作が行われたと判断されるまで当該ステップＳ１の処理が繰り返される。
【００３７】
＜ステップＳ２＞
ステップＳ２において、制御部１７は、画像読取部１３を制御して、原稿台２１に載置されている原稿の主走査方向に沿った線状領域の画像を示す線状画像データを読み取る。
【００３８】
＜ステップＳ３＞
ステップＳ３において、制御部１７は、前記ステップＳ２で読み取られた前記線状画像データに基づいて、前記原稿の主走査方向のサイズを検出する。当該ステップＳ３の処理は、制御部１７の検出処理部１７１により実行される。
【００３９】
＜ステップＳ４＞
ステップＳ４において、制御部１７は、原稿センサー２８の検知結果（すなわち、検知位置２１２における原稿の有無）を取得する。制御部１７は、原稿センサー２８の出力信号に基づいて、検知位置２１２における原稿の有無を判定することができる。
【００４０】
＜ステップＳ５＞
ステップＳ５において、制御部１７は、前記ステップＳ３で検出された前記原稿の主走査方向のサイズと、前記ステップＳ４で取得された原稿センサー２８の検知結果と、記憶部１６に記憶されている原稿判定テーブルＤ１とに基づいて、前記原稿の種類を判定する。当該ステップＳ５の処理は、制御部１７の判定処理部１７２により実行される。
【００４１】
＜ステップＳ６＞
ステップＳ６において、制御部１７は、前記原稿の種類がカード型原稿Ｃａであるか否かを判断する。そして、前記原稿の種類がカード型原稿Ｃａであると判断されると（Ｓ６：Ｙｅｓ）、処理がステップＳ１０に移行する。一方、前記原稿の種類がカード型原稿Ｃａではないと判断されると（Ｓ６：Ｎｏ）、処理がステップＳ７に移行する。
【００４２】
＜ステップＳ７＞
ステップＳ７において、制御部１７は、画像読取部１３を制御して、原稿台２１に載置されている前記原稿の画像を読み取る。これにより、前記原稿画像データが生成される。
【００４３】
＜ステップＳ８＞
ステップＳ８において、制御部１７は、前記原稿画像データに対して前記枠消し処理を実行する。ここでは、制御部１７は、予め定められた消去幅Ｗ１（例えば、２〜３ｍｍ）で前記枠消し処理を実行する。当該ステップＳ８の処理は、制御部１７の消去処理部１７３により実行される。
【００４４】
＜ステップＳ９＞
ステップＳ９において、制御部１７は、操作表示部１１に対するユーザー操作に応じて画像形成部１４の動作条件を設定する。そして、処理がステップＳ１４に移行する。当該ステップＳ９の処理は、制御部１７の設定処理部１７４により実行される。
【００４５】
＜ステップＳ１０＞
一方、前記原稿の種類がカード型原稿Ｃａであると判断された場合は、ステップＳ１０において、制御部１７は、画像読取部１３を制御して、原稿台２１に載置されているカード型原稿Ｃａの第１面（すなわち、原稿台２１に接している側の面）の画像を読み取る。これにより、カード型原稿Ｃａの前記第１面の前記原稿画像データが生成される。
【００４６】
カード型原稿Ｃａの前記第１面の画像の読み取りが完了すると、制御部１７は、カード型原稿Ｃａを裏返すようにユーザーに促すメッセージを操作表示部１１に表示する。そして、カード型原稿Ｃａを裏返したことを示すユーザー操作（例えば、操作表示部１１に表示された［ＯＫ］ボタンの操作）が行われると、処理がステップＳ１１に移行する。
【００４７】
＜ステップＳ１１＞
ステップＳ１１において、制御部１７は、画像読取部１３を制御して、原稿台２１に載置されているカード型原稿Ｃａの第２面（すなわち、前記第１面とは反対側の面）の画像を読み取る。これにより、カード型原稿Ｃａの前記第２面の前記原稿画像データが生成される。
【００４８】
＜ステップＳ１２＞
ステップＳ１２において、制御部１７は、前記原稿の前記第１面及び前記第２面の各々の前記原稿画像データに対して前記枠消し処理を実行する。ここでは、制御部１７は、前記ステップＳ８で実行される前記枠消し処理よりも狭い消去幅Ｗ１（例えば、０〜１ｍｍ）で、前記枠消し処理を実行する。当該ステップＳ１２の処理は、制御部１７の消去処理部１７３により実行される。
【００４９】
＜ステップＳ１３＞
ステップＳ１３において、制御部１７は、画像形成部１４の動作条件を前記特定の動作条件（例えば、図７に示されるように、カード型原稿Ｃａの前記第１面の画像Ｇ１と前記第２面の画像Ｇ２とを１枚のシートＳｈの片面に形成する動作条件）に設定する。そして、処理がステップＳ１４に移行する。当該ステップＳ１３の処理は、制御部１７の設定処理部１７４により実行される。なお、当該ステップＳ１３で設定された画像形成部１４の動作条件が、必要に応じて、操作表示部１１に対するユーザー操作に応じて変更されてもよい。
【００５０】
＜ステップＳ１４＞
ステップＳ１４において、制御部１７は、前記ステップＳ９又は前記ステップＳ１３で設定された動作条件に基づいて画像形成部１４を制御して、前記動作条件に基づく画像形成処理を実行させる。そして、処理が前記ステップＳ１に戻る。
【００５１】
なお、ここではコピー処理について説明したが、本発明は、スキャン処理やファクシミリ送信処理にも適用可能である。例えば、スキャン処理の場合は、前記ステップＳ１でスキャン開始操作が行われたか否かが判定される。そして、前記ステップＳ９、前記ステップＳ１３、及び前記ステップＳ１４の代わりに、前記枠消し処理後の前記原稿画像データが所定の保存先（例えば、記憶部１６、画像形成装置１に着脱可能に接続される記憶装置、画像形成装置１と通信可能に接続される情報処理装置など）に保存される。また、ファクシミリ送信処理の場合は、前記ステップＳ１でファクシミリ送信開始操作が行われたか否かが判定される。そして、前記ステップＳ９、前記ステップＳ１３、及び前記ステップＳ１４の代わりに、前記枠消し処理後の前記原稿画像データが所定の送信先（例えば、画像形成装置１と通信可能に接続されるファクシミリ装置）に送信される。
【００５２】
以上のように、本実施形態に係る画像形成装置１では、原稿台２１に載置された原稿の主走査方向に沿った線状領域の画像を示す線状画像データに基づいて前記原稿の主走査方向のサイズが検出される。そして、検出されたサイズが特定条件を満たす場合に、前記原稿がカード型原稿Ｃａであると判定される。よって、本実施形態に係る画像形成装置１によれば、原稿台２１に載置された原稿がカード型原稿Ｃａであるかどうかをプレスキャン無しで判定することが可能である。
【００５３】
また、本実施形態に係る画像形成装置１では、前記原稿がカード型原稿Ｃａであると判定された場合に、前記原稿がカード型原稿Ｃａではないと判定された場合よりも狭い消去幅Ｗ１で前記枠消し処理が実行される。よって、本実施形態に係る画像形成装置１によれば、前記枠消去処理によって必要な情報（文字）まで消去されてしまうことを抑制することができる。
【００５４】
また、本実施形態に係る画像形成装置１では、前記原稿がカード型原稿Ｃａであると判定された場合に、画像形成部１４の動作条件が前記特定の動作条件（例えば、図７に示されるように、カード型原稿Ｃａの両面の画像を１枚のシートＳｈの片面に形成すること）に設定される。よって、運転免許証又は健康保険証のようなカード型原稿Ｃａの両面をコピーする際のユーザーの手間を大きく軽減させることが可能である。
【００５５】
なお、本実施形態では、前記コピー開始操作が行われた場合に、原稿台２１に載置された原稿がカード型原稿Ｃａであるか否かが判定されるが、当該機能（すなわち、原稿台２１に載置された原稿がカード型原稿Ｃａであるか否かを自動的に判定するカード自動判定機能）がユーザー操作に応じて任意に有効化又は無効化されてもよい。例えば、カード型原稿Ｃａ以外の不定形サイズの原稿の画像を頻繁に読み取るようなユーザーは、前記カード自動判定機能を無効化しておくことにより、カード型原稿Ｃａ以外の不定形サイズの原稿がカード型原稿Ｃａであると誤認識されてしまうことを防止することができる。
【符号の説明】
【００５６】
１  画像形成装置
１３  画像読取部
１４  画像形成部
１７  制御部
１７１  検出処理部
１７２  判定処理部
１７３  消去処理部
１７４  設定処理部
２１  原稿台
２１１  載置基準位置
２１２  検知位置
２２  第１キャリッジ
２８  原稿センサー
【図１】
2019193034.tif 000003
【図２】
2019193034.tif 000004
【図３】
2019193034.tif 000005
【図４】
2019193034.tif 000006
【図５】
2019193034.tif 000007
【図６】
2019193034.tif 000008
【図７】
2019193034.tif 000009